(57)【要約】【課題】遠隔操作が行えない場合でも照明部の昇降操作を容易に行える照明器具を提供することにある。【解決手段】照明器具は、照明部１と本体部２と遠隔操作部３とを備える照明器具であって、照明部１を本体部２に昇降自在に吊り下げるリール２１と、リール２１を制御して照明部１を昇降させる昇降制御手段と、無線信号を受信する受信部２３と、昇降制御手段の操作用の昇降操作手段とを備え、昇降操作手段は、遠隔制御部３に設けられる遠隔操作用昇降操作部３２と、本体部２において照明部１及び天井面Ｘのいずれとも対向しない外側面に設けられる直接操作用昇降操作部２２とで構成され、直接操作用昇降操作部２２は照明部１の上昇用スイッチ２２ａ及び下降用スイッチ２２ｂを備え、昇降制御手段は上昇用スイッチ２２ａ又は下降用スイッチ２２ｂが操作されている間だけ照明部１を上昇又は下降させるように構成されている。【選択図】図１
2008091151.tif 000002
【特許請求の範囲】
【請求項１】
点灯装置を備える照明部と、天井面に設置される本体部と、無線信号を送信する遠隔操作部とを備える照明器具であって、前記照明部を前記本体部に昇降自在に吊り下げる昇降手段と、前記昇降手段を制御して前記照明部を昇降させる昇降制御手段と、遠隔操作部が送信する無線信号を受信する受信手段と、前記昇降制御手段の操作用の昇降操作手段とを備え、前記昇降操作手段は、前記遠隔制御部に設けられる遠隔操作用昇降操作部と、前記本体部において前記照明部及び前記天井面のいずれとも対向しない外側面に設けられる直接操作用昇降操作部とで構成され、前記直接操作用昇降操作部は前記照明部の昇降操作用のスイッチを備え、前記昇降制御手段は、前記昇降操作用のスイッチが操作された際には前記昇降手段を制御して前記昇降操作用のスイッチが操作されている間だけ前記照明部を昇降させるように構成されていることを特徴とする照明器具。
【請求項２】
前記遠隔操作用昇降操作部は、前記昇降制御手段により前記照明部を所定の上昇位置まで上昇させる自動上昇用スイッチと、前記昇降制御手段により前記照明部を所定の下降位置まで下降させる自動下降用スイッチと、前記昇降制御手段により前記照明部の昇降動作を停止させる停止用スイッチとを備えていることを特徴とする請求項１記載の照明器具。
【請求項３】
前記停止用スイッチは押しボタンスイッチであって、前記昇降制御手段は、前記停止用スイッチの押圧状態が所定の時間以上継続された際に前記照明部の昇降操作を行えなくする昇降動作ロックモードに設定され、前記昇降動作ロックモード中に前記停止用スイッチの押圧状態が所定の時間以上継続された際に前記昇降動作ロックモードを解除するように構成されていることを特徴とする請求項２記載の照明器具。
【請求項４】
前記昇降動作ロックモードに設定されている状態では点灯又は点滅し、前記昇降動作ロックモードが解除されている状態では消灯する発光表示手段を備えていることを特徴とする請求項３記載の照明器具。
【請求項５】
前記発光表示手段は、前記昇降動作ロックモードが設定されていない状態で前記停止用スイッチの押圧状態が所定の時間継続された際に点灯又は点滅し、前記昇降動作ロックモードが設定されている状態で前記停止用スイッチの押圧状態が所定の時間継続された際に消灯するように構成されていることを特徴とする請求項４記載の照明器具。
【発明の詳細な説明】
【技術分野】
【０００１】
本発明は、天井面に設置される照明器具に関する。
【背景技術】
【０００２】
従来から、ランプの交換等の作業を容易にするために、リモコン等の遠隔操作部の操作により遠方から照明部（ランプが設けられている部位）の高さを調整可能な電動昇降機能付き照明器具が提供されている（例えば、特許文献１）。
【０００３】
特許文献１の照明器具は、天井面に昇降自在に吊り下げられた器具本体からなる照明部を備え、照明部には、リモコン等の遠隔操作部から出力された無線信号を受信する信号受信部と、ＣＰＵからなる制御部と、照明部を天井面に吊り下げているワイヤの巻き上げ又は巻き戻し（すなわち照明部の昇降動作）のための駆動力を発生させるステッピングモータ及び駆動力を伝達するギヤ等からなる駆動部とが内蔵されている。また、照明部の上面側及び下面側それぞれにタッチセンサスイッチが設けられている。
【特許文献１】特開平５−１４４３１４号公報
【発明の開示】
【発明が解決しようとする課題】
【０００４】
前記特許文献１の照明器具では、遠隔操作部から出力される無線信号を信号受信部で受信し、受信した無線信号の内容に応じて制御部が駆動部を制御して、ワイヤの巻上げ又は巻き戻しを行い、照明部を昇降させるようになっている。また、特許文献１の照明器具では、照明部の上面側に設けられたタッチセンサスイッチに触れた際には制御部から駆動部に照明部を下降させる旨の駆動指令が、照明部の下面側に設けられたタッチセンサスイッチに触れた際には制御部から駆動部に照明部を上昇させる旨の駆動指令がそれぞれ出力されるように構成され、タッチセンサスイッチに触れることによっても照明部の昇降操作が行えるようになっている。
【０００５】
しかしながら、特許文献１の照明器具では、照明部を昇降操作するためのタッチセンサスイッチが、高さが変動する照明部に設けられているから、遠隔操作部を紛失してしまったり、遠隔操作部のバッテリが切れてしまったりして遠隔操作が行えない場合に、照明部が高い場所に位置していると、タッチセンサスイッチに触れることができず、照明部の昇降操作が行えなくなるという問題があった。
【０００６】
また、照明部にタッチセンサが設けられているために、タッチセンサにより照明部の昇降動作を行った際には照明部の昇降動作に伴ってタッチセンサも移動してしまい、非常に操作が行い難いという問題もあった。
【０００７】
本発明は上述の点に鑑みて為されたもので、その目的は、遠隔操作が行えない場合でも照明部の昇降操作を容易に行える照明器具を提供することにある。
【課題を解決するための手段】
【０００８】
上記の課題を解決するために、請求項１の発明では、点灯装置を備える照明部と、天井面に設置される本体部と、無線信号を送信する遠隔操作部とを備える照明器具であって、前記照明部を前記本体部に昇降自在に吊り下げる昇降手段と、前記昇降手段を制御して前記照明部を昇降させる昇降制御手段と、遠隔操作部が送信する無線信号を受信する受信手段と、前記昇降制御手段の操作用の昇降操作手段とを備え、前記昇降操作手段は、前記遠隔制御部に設けられる遠隔操作用昇降操作部と、前記本体部において前記照明部及び前記天井面のいずれとも対向しない外側面に設けられる直接操作用昇降操作部とで構成され、前記直接操作用昇降操作部は前記照明部の昇降操作用のスイッチを備え、前記昇降制御手段は、前記昇降操作用のスイッチが操作された際には前記昇降手段を制御して前記昇降操作用のスイッチが操作されている間だけ前記照明部を昇降させるように構成されていることを特徴とする。
【０００９】
請求項２の発明では、請求項１の発明において、前記遠隔操作用昇降操作部は、前記昇降制御手段により前記照明部を所定の上昇位置まで上昇させる自動上昇用スイッチと、前記昇降制御手段により前記照明部を所定の下降位置まで下降させる自動下降用スイッチと、前記昇降制御手段により前記照明部の昇降動作を停止させる停止用スイッチとを備えていることを特徴とする。
【００１０】
請求項３の発明では、請求項２の発明において、前記停止用スイッチは押しボタンスイッチであって、前記昇降制御手段は、前記停止用スイッチの押圧状態が所定の時間以上継続された際に前記照明部の昇降操作を行えなくする昇降動作ロックモードに設定され、前記昇降動作ロックモード中に前記停止用スイッチの押圧状態が所定の時間以上継続された際に前記昇降動作ロックモードを解除するように構成されていることを特徴とする。
【００１１】
請求項４の発明では、請求項３の発明において、前記昇降動作ロックモードに設定されている状態では点灯又は点滅し、前記昇降動作ロックモードが解除されている状態では消灯する発光表示手段を備えていることを特徴とする。
【００１２】
請求項５の発明では、請求項４の発明において、前記発光表示手段は、前記昇降動作ロックモードが設定されていない状態で前記停止用スイッチの押圧状態が所定の時間継続された際に点灯又は点滅し、前記昇降動作ロックモードが設定されている状態で前記停止用スイッチの押圧状態が所定の時間継続された際に消灯するように構成されていることを特徴とする。
【発明の効果】
【００１３】
請求項１の発明は、昇降制御手段の操作用の昇降操作手段を遠隔操作部に設けられる遠隔操作用昇降操作部と本体部に設けられる直接操作用昇降操作部とで構成しているから、遠隔操作部を紛失したり、遠隔操作部のバッテリが切れたり残量が少なくなったりして遠隔操作部を用いて照明部の昇降操作が行えない場合でも、本体部の直接操作用昇降操作部を操作することで照明部の昇降操作が行えるという効果を奏し、しかも直接操作用昇降操作部は高さが変動する照明部ではなく天井面に設置されて定位置に位置する本体部に設けられているから、直接操作用昇降操作部の操作時に直接操作用昇降操作部自体が移動してしまうことがなくなり、直接操作用昇降操作部の操作が行い易くなって照明部の昇降操作が容易に行えるという効果を奏する。さらに、直接操作用昇降操作部を本体部において照明部及び天井面のいずれとも対向しない外側面に設けているから、照明器具の外観を見ることで直接操作用昇降操作部を確認できて、直接操作用昇降操作部の位置が判りやすくなるという効果を奏するとともに、直接操作用昇降操作部の操作の際に照明部及び天井面が邪魔にならないという効果を奏する。加えて、直接操作用昇降操作部の昇降操作用のスイッチが操作されている間だけ照明部が昇降されるから、直接操作用昇降操作部を用いて照明部の昇降操作を行う際には必ずユーザが直接操作用昇降操作部を即座に操作できる場所にいる状態で照明部の昇降が行われ、照明部が人や物に衝突してしまう等の危険を回避しやすくなり安全性を高めることができるという効果を奏する。
【００１４】
請求項２の発明は、遠隔操作用昇降操作部の自動上昇用スイッチ又は自動下降用スイッチを操作するだけで、照明部を自動的に所定の上昇位置又は所定の下降位置まで移動させることができ、しかも移動中に停止用スイッチを操作することで照明部を任意の位置で停止させることができるから、遠隔操作部を用いての照明部の昇降操作が分かり易く簡単になるという効果を奏する。
【００１５】
請求項３の発明は、停止用スイッチを所定の時間以上継続して押圧することで昇降動作ロックモードに設定できるから、子供のいたずら等によって照明部が無駄に昇降操作されることを防止できて、照明部の突然の昇降動作に起因する危険の回避や、電気代を節約できるという効果を奏し、しかも昇降動作ロックモードに設定するためのスイッチ等を新たに設けなくて済むから、遠隔操作部のコンパクト化やコストダウンを図ることができるという効果を奏する。
【００１６】
請求項４の発明は、発光表示手段を見ることによって昇降動作ロックモードに設定されているか否かを容易に判別できるから、照明部の昇降操作を行えない理由が、故障によるものなのか昇降動作ロックモードによるものなのかを容易に確認できるという効果を奏する。
【００１７】
請求項５の発明は、発光表示手段を見ることによって昇降動作ロックモードの設定又は解除が行われたことを容易に確認できるという効果を奏する。
【発明を実施するための最良の形態】
【００１８】
以下に図１及び図２を参照して本発明の照明器具の一実施形態について説明する。
【００１９】
本実施形態の照明器具は、図１（ａ）〜（ｃ）に示すように、点灯装置１１を備える照明部１と、天井面Ｘに設置される本体部２と、無線信号を送信する遠隔操作部３とを備えるいわゆる電動昇降機能付き照明器具であって、照明部１を本体部２に昇降自在に吊り下げる昇降手段として用いられるリール２１と、リール２１を制御して照明部１を昇降させる昇降制御手段を備える演算処理部（図示せず）と、遠隔操作部３が送信する無線信号を受信する受信手段として用いられる受信部２３と、前記昇降制御手段の操作用の昇降操作手段とを備え、前記昇降操作手段は、遠隔制御部３に設けられる遠隔操作用昇降操作部３２と、本体部２において照明部１及び天井面Ｘのいずれとも対向しない外側面に設けられる直接操作用昇降操作部２２とで構成され、直接操作用昇降操作部２２は照明部１の昇降操作用のスイッチである上昇用スイッチ２２ａ及び下降用スイッチ２２ｂを備え、前記昇降制御手段は上昇用スイッチ２２ａ又は下降用スイッチ２２ｂが操作された際にリール２１を制御して上昇用スイッチ２２ａ又は下降用スイッチ２２ｂが操作されている間だけ照明部１を上昇又は下降させるように構成されている。
【００２０】
照明部１は、図１（ａ）に示すように、光源として環型蛍光ランプ（図示例では二重環型蛍光ランプ）等の蛍光ランプＬと、常夜灯として用いられるＬＥＤ（図示せず）とが設けられる円形状のシャーシ１０と、シャーシ１０の下面側に被着されてシャーシ１０に取り付けられた蛍光ランプＬを覆うセード１５とを備えている。尚、セード１５は、例えば透光性を有する白色の樹脂材料を用いて円形のドーム状に形成されている。
【００２１】
シャーシ１０の下面側には、商用電源等の交流電源を元にして蛍光ランプＬ用の動作電源を生成する安定器や、蛍光ランプＬ用の調光回路、前記交流電源を元にして前記ＬＥＤ用の動作電源を生成する交流直流変換回路等を有する点灯装置１１と、蛍光ランプＬを装着するソケット１２と、弾性を有する金属材等を用いて形成され蛍光ランプＬを保持するランプホルダ１３と、前記ＬＥＤとが設けられている。
【００２２】
また、シャーシ１０の下面側の中央部には、商用電源からの点灯装置１１に電力供給を行うための電源線１４ａを備えるコードリール１４用の収納室１０ａが設けられ、シャーシ１０の上面側において収納室１０ａに対応する部位には、電源線１４ａ用の電源線挿通孔１０ｂが設けられている。ここで、コードリール１４は、収納室１０ａに収納された状態で、電源線１４ａの固定端側（コードリール１４に固定されている側）が点灯装置１１に電気的に接続され、電源線１４ａの自由端側（コードリール１４から自在に引き出せる側）が、電源線挿通孔１０ｂを通じて収納室１０ａからシャーシ１０の上方に導出されている。
【００２３】
一方、シャーシ１０の上面側には、本体部２に設けられたリール２１の３本のワイヤ２１ａの後述する自由端側（リール２１から自在に引き出せる側）それぞれが挿通される挿通孔１０ｃが設けられており、シャーシ１０の下面側における各挿通孔１０ｃ近傍には、ワイヤ２１ａの前記自由端側を結束する結束部（図示せず）が設けられている。尚、各挿通孔１０ｃが設けられる位置は、各ワイヤ２１ａに同程度の荷重がかかるようにシャーシ１０の上面においてシャーシ１０と中心位置が等しい正三角形の各頂点位置としている。
【００２４】
遠隔操作部３は、例えば赤外線信号からなる無線信号を送信するリモコン等であって、図１（ｂ）に示すように長寸の箱状のリモコン本体３０を備え、リモコン本体３０の厚み方向の一面（前面）には、照明部１の光源（蛍光ランプＬ及び前記ＬＥＤ）の点灯制御を行うための照明操作部３１と、照明部１の昇降操作を行うための遠隔操作用昇降操作部３２とが設けられている。
【００２５】
照明操作部３１は、図１（ｂ）に示すように、リモコン本体３０の前記一面に露設される全灯用スイッチ３１ａ、お好み用スイッチ３１ｂ、常夜灯用スイッチ３１ｃ、消灯用スイッチ３１ｄ、及び調光用スイッチ３１ｅ，３１ｆを備えている。各スイッチ３１ａ〜３１ｆはいずれも押しボタンスイッチからなり、全灯用スイッチ３１ａは蛍光ランプＬの明るさを最大に設定するためのものであり、お好み用スイッチ３１ｂは蛍光ランプＬの明るさをユーザが予め設定した明るさに設定するためのものであり、常夜灯用スイッチ３１ｃは常夜灯である前記ＬＥＤの点灯状態を切り換えるためのものであり、消灯用スイッチ３１ｄは蛍光ランプＬ及び前記ＬＥＤを消灯するためのものであり、調光用スイッチ３１ｅ，３１ｆは蛍光ランプＬの明るさを調整するためのものである。尚、調光用スイッチ３１ｅが蛍光ランプＬの明るさを明るくするために用いられ、調光用スイッチ３１ｆが蛍光ランプＬの明るさを暗くするために用いられる。
【００２６】
遠隔操作用昇降操作部３２は、図１（ｂ）に示すように、リモコン本体３０の前記一面に露設される自動上昇用スイッチ３２ａ、自動下降用スイッチ３２ｂ、及び停止用スイッチ３２ｃを備えている。各スイッチ３２ａ〜３２ｃはいずれも押しボタンスイッチからなり、上昇用スイッチ３２ａは照明部１を所定の上昇位置（照明部１の最上点の位置、例えば照明部１が本体部２に最も近接する位置であり、本実施形態では照明部１と本体部２との間の距離が略０となる位置）まで上昇させるためのものであり、下降用スイッチ３２ｂは照明部１を所定の下降位置（照明部１の最下点の位置、例えば、ユーザの手の届く範囲で且つ照明部１が床面等に衝突しない程度の位置であり、本実施形態では照明部１と本体部２との間の距離が略１１００ｍｍとなる位置）まで下降させるためのものであり、停止用スイッチ３２ｃは照明部１の昇降動作を停止させるためのものである。
【００２７】
ここで、停止用スイッチ３２ｃは、照明部１の昇降操作を行えなくする昇降動作ロックモードの設定／解除を行うためのスイッチとしても用いられるようになっており、例えば、停止用スイッチ３２ｃの押圧状態が所定の時間（本実施形態では３秒）以上継続された（停止用スイッチ３２ｃを所定の時間（本実施形態では約３秒）以上長押しした）際に、前記昇降動作ロックモードの設定が行われるようになっている。また、前記昇降動作ロックモード中に前記停止用スイッチの押圧状態が所定の時間（本実施形態では３秒）以上継続された際に、前記昇降動作ロックモードの解除が行われるようになっている。
【００２８】
加えて、リモコン本体３０の前記一面における停止用スイッチ３２ｃの近傍には、前記昇降動作ロックモードの設定／解除を確認するための発光表示手段となる発光表示部３４が設けられている。この発光表示部３４としてはＬＥＤや、ネオンランプ等を用いることができる。
【００２９】
一方、リモコン本体３０の側面（図１（ｂ）における右側面）には、遠隔操作部３のアドレス（チャンネル）設定用の送信側アドレス切り替えスイッチ３３が設けられている。この送信側アドレス切り替えスイッチ３３は、遠隔操作部３のアドレスを３種類の中から選択するためのものであり、送信側アドレス切り替えスイッチ３３を”１”、”２”、”３”のいずれかに切り換えることで、遠隔操作部３のアドレスが切り替えられるようになっている。
【００３０】
さらに、遠隔操作部３は、リモコン制御部（図示せず）と、前記リモコン制御部により制御されて無線信号を出力する無線送信部（図示せず）とを備えている。また、遠隔操作部３には、前記リモコン制御部及び前記無線送信部の動作電源となるバッテリ（図示せず）が設けられる。
【００３１】
前記リモコン制御部は、例えばマイコン等からなり、照明操作部３１の各スイッチ３１ａ〜３１ｆ及び遠隔操作用昇降操作部３２の各スイッチ３２ａ〜３２ｃのいずれかが操作された際に、操作されたスイッチに対応する操作信号を有する無線信号を前記無線送信部から出力させるように構成されている。
【００３２】
また、前記リモコン制御部は、停止用スイッチ３２ｃの押圧状態が所定の時間以上継続された際には、前記昇降制御手段を前記昇降動作ロックモードに設定するための操作信号を有する無線信号を前記無線送信部から出力させるとともに発光表示部３４を点灯させるように構成されている。ここで、発光表示部３４は前記リモコン制御部により図２（ｂ）に示すようにして点灯される。発光表示部３４は、時刻ｔ１において停止用スイッチ３２ｃの押圧が開始されると時刻ｔ１から３秒経過した時刻ｔ２に点灯される。すなわち発光表示部３４は、前記昇降動作ロックモードが設定されていない状態で停止用スイッチ３２ｃの押圧状態が所定の時間継続された際（昇降動作ロックモードに設定された際）に点灯され、発光表示部３４の点灯状態は停止用スイッチ３２ｃの押圧が終了する時刻ｔ３まで継続される。そして、時刻ｔ３において発光表示部３４は一旦消灯され、以後時刻ｔ３より３秒経過した時刻ｔ４、時刻ｔ４より３秒経過した時刻ｔ５、時刻ｔ５より３秒経過した時刻ｔ６にそれぞれ瞬時点灯され、前記昇降動作ロックモードが解除されるまでは、発光表示部３４は３秒毎に点灯するような点滅動作を行う。
【００３３】
一方、前記リモコン制御部は、前記昇降動作ロックモード中に前記停止用スイッチの押圧状態が所定の時間以上継続された際には、前記昇降動作ロックモードを解除するための操作信号を有する無線信号を前記無線送信部から出力させるとともに発光表示部３４を消灯させるように構成されている。ここで、発光表示部３４は前記リモコン制御部により図２（ｂ）に示すようにして消灯される。発光表示部３４は前記昇降動作ロックモードが設定されている状態では、時刻Ｔ１、時刻Ｔ１より３秒経過した時刻Ｔ２で点灯するような点滅動作を行い、時刻Ｔ３において停止用スイッチ３２ｃの押圧が開始されると、停止用スイッチ３２ｃの押圧開始から３秒経過するまでは点灯状態を維持し、時刻Ｔ３から時刻Ｔ５まで停止用スイッチ３２ｃの押圧状態が維持された際には、時刻Ｔ３から３秒経過した時刻Ｔ４において消灯される。すなわち、発光表示部３４は、前記昇降動作ロックモードが設定されている状態で停止用スイッチ２３ｃの押圧状態が所定の時間継続された際（昇降動作ロックモードが解除された際）に消灯される。
【００３４】
尚、前記リモコン制御部は、昇降動作ロックモードの設定／解除が行われた際には、一旦停止用スイッチ３２ｃの押圧状態が解除されるまでは、昇降動作ロックモードの設定／解除を受け付けないように構成されている。つまり、停止用スイッチ３２ｃの押圧状態を長時間維持しても、昇降動作ロックモードの設定／解除は一度しか行われないようになっている（一回の停止用スイッチ３２ｃの押圧によって、昇降動作ロックモードの設定／解除が繰り返されないようになっている）。
【００３５】
前記無線送信部は、例えば赤外線信号を出力するための赤外線ＬＥＤ等を有するものであって、上述したように前記リモコン制御部は操作されたスイッチに対応する操作信号を有する無線信号を出力するように前記リモコン制御部に制御される。ここで、前記無線送信部は、前記無線信号を出力する際に、送信側アドレス切り替えスイッチ３３により選択されたアドレスを付すように構成されている。
【００３６】
本体部２は、図１（ａ）に示すように円形状の筐体２０を備えている。筐体２０の上面側の中央部には、天井面Ｘに設置された図示しない引掛シーリング（引掛シーリングボディ）を収容する収容凹所（図示せず）が設けられており、前記収容凹所内には前記引掛シーリングに係止される被係止部（図示せず）が設けられている。また、筐体２０には、前記引掛シーリングの刃受（図示せず）に電気的且つ機械的に接続される栓刃（図示せず）を有する引掛シーリングキャップ（図示せず）と、前記引掛シーリングキャップと電源線１４ａの自由端側とを電気的に接続する接続部（図示せず）とが設けられている。さらに、筐体２０には、３本のワイヤ２１ａ（図示例では、２本のみ図示している）及びワイヤ２１ａの巻上げ及び巻き戻しを行うためのモータ（図示せず）を有するモータ付きリール２１が収納されており、リール２１の各ワイヤ２１ａの前述の自由端は、筐体２０の下面から筐体２０の下方へ導出されている。ここで、筐体２０の下面においてワイヤ２１ａが導出される位置は、上下方向においてシャーシ１０の各挿通孔１０ｃそれぞれに対向する位置としている。
【００３７】
ところで、筐体２０において照明部１及び天井面Ｘのいずれとも外側面には、図１（ａ）に示すように、矩形状の凹部２０ａが設けられており、凹部２０ａの底面には、直接操作用昇降操作部２２が設けられている。ここで、直接操作用昇降操作部２２は、図１（ｃ）に示すように、上昇用スイッチ２２ａと下降用スイッチ２２ｂとで構成された照明部１の昇降操作用のスイッチを備えている。尚、上昇用スイッチ２２ａ及び下降用スイッチ２２ｂはいずれも押しボタンスイッチからなり、上昇用スイッチ２２ａ及び下降用スイッチ２２ｂは、操作（押し操作）が継続されている間だけ、照明部１を昇降させるために用いられる。
【００３８】
また、凹部２０ａの底面における直接操作用昇降操作部２２の近傍には、赤外線を受光する受光素子からなり遠隔操作部３の無線信号を受信する受信部２３と、受信側アドレス切り替えスイッチ２４とが設けられている。この受信側アドレス切り替えスイッチ２４は、遠隔操作を受け付ける遠隔操作部３のアドレスを３種類の中から選択するためのものであり、受信側アドレス切り替えスイッチ２４を”１”、”２”、”３”のいずれかに切り換えることで、遠隔操作を受け付ける遠隔操作部３のアドレスを切り替えられるようになっている。尚、筐体２０には、図１（ａ）に示すように、受信部２３及び直接操作用昇降操作部２２並びに受信側アドレス切り替えスイッチ２４を隠蔽して本体部２の見栄えを向上するために、少なくとも赤外線に対して透光性を有するカバー２５が凹部２０ａの開口部を覆うようにして着脱自在に取り付けられるようになっている。カバー２５は、直接操作用昇降操作部２２又は受信側アドレス切り替えスイッチ２４の操作を行うときを除いて、筐体２０に取り付けられる。ここで、カバー２５が筐体２０に取り付けられた状態では、カバー２５の位置が直接操作用昇降操作部２２の位置を示すことになる。
【００３９】
一方、本体部２の筐体２０には、マイコン等からなる演算処理部（図示せず）が収納されており、前記演算処理部は、照明部１の点灯装置１１の動作を制御することで照明部１の蛍光ランプＬ及び常夜灯として用いられる前記ＬＥＤそれぞれの点灯制御を行う照明制御手段（図示せず）と、リール２１の動作を制御することで照明部１の昇降制御を行う昇降制御手段（図示せず）とを備えている。
【００４０】
前記演算処理部には、受信部２３で受信した遠隔操作部３の無線信号が有する操作信号と、直接操作用昇降操作部２２の操作信号とが入力されるようになっており、前記演算処理部では入力された操作信号の内容に応じて照明制御手段又は昇降制御手段による制御動作が行われる。尚、前記演算処理部は、受信側アドレス切り替えスイッチ２４により選択されたアドレスに合致するアドレスが付された（すなわち送信側アドレス切り替えスイッチ３３により受信側アドレス切り替えスイッチ２４と同じアドレスが選択された遠隔操作部３が出力する）無線信号を受信した際に、当該無線信号から操作信号を読み出す（つまり、遠隔操作部３の無線信号を受け付ける）ように構成されている。
【００４１】
前記照明制御手段は、全灯用スイッチ３１ａに対応する操作信号が入力された際には蛍光ランプＬの明るさを最大に設定するための照明制御信号を、お好み用スイッチ３１ｂに対応する操作信号が入力された際には蛍光ランプＬの明るさをユーザが予め設定した明るさに設定するための照明制御信号を、常夜灯用スイッチ３１ｃに対応する操作信号が入力された際には前記ＬＥＤの点灯又は明るさを切り換えるための照明制御信号を、消灯用スイッチ３１ｄに対応する操作信号が入力された際には蛍光ランプＬ及び前記ＬＥＤそれぞれを消灯するための照明制御信号を、調光用スイッチ３１ｅに対応する操作信号が入力された際には蛍光ランプＬの明るさを明るくするための照明制御信号を、調光用スイッチ３１ｆに対応する操作信号が入力された際には蛍光ランプＬの明るさを暗くするための照明制御信号を、それぞれ点灯装置１１に出力するように構成されている。尚、前記照明制御手段により照明部１の点灯装置１１の制御が行われる際には、電源線１４ａを経由して前記照明制御手段から点灯装置１１に照明制御信号が伝送される。つまり、本実施形態では、電源線１４ａを前記照明制御信号の伝送路として利用している。尚、前記照明制御信号の伝送路となる信号線を別途設けるようにしてもよい。
【００４２】
前記昇降制御手段は、自動上昇用スイッチ３２ａに対応する操作信号が入力された際には照明部１を所定の上昇位置まで所定の速度で上昇させるための昇降制御信号を、自動下降用スイッチ３２ｂに対応する操作信号が入力された際には照明部１を所定の下降位置まで所定の速度で下降させるための昇降制御信号を、停止用スイッチ３２ｃに対応する操作信号が入力された際には照明部１の昇降動作を停止させるための昇降制御信号をリール２１の前記モータに出力するように構成されている。ここで前記照明制御手段は、自動上昇用スイッチ３２ａが押されてから照明部１が前記所定の上昇位置に達するまでの間に、自動下降用スイッチ３２ｂが押された際には、自動上昇用スイッチ３２ａによる動作をキャンセルして、自動下降用スイッチ３２ｂによる動作を行わせるように構成されている。同様に、前記照明制御手段は、自動下降用スイッチ３２ｂが押されてから照明部１が前記所定の下降位置に達するまでの間に、自動上昇用スイッチ３２ａが押された際には、自動下降用スイッチ３２ｂによる動作をキャンセルして、自動上昇用スイッチ３２ａによる動作を行わせるように構成されている。
【００４３】
また、前記昇降制御手段は、上昇用スイッチ２２ａに対応する操作信号が入力された際には当該操作信号が入力されている期間に等しい期間だけ照明部１を所定の速度で上昇させるための昇降制御信号を、下降用スイッチ２２ｂに対応する操作信号が入力された際には当該操作信号が入力されている期間に等しい期間だけ照明部１を所定の速度で下降させるための昇降制御信号をリール２１の前記モータに出力するように構成されている。すなわち、前記昇降制御手段は前記昇降操作用のスイッチである上昇用スイッチ２２ａ及び下降用スイッチ２２ｂが操作されている間だけリール２１の前記モータを制御するように構成されている。
【００４４】
一方、前記昇降制御手段は、前記昇降動作ロックモードの設定用の操作信号が入力された際には前記昇降動作ロックモードに設定され、前記昇降動作ロックモード中は、自動上昇用スイッチ３２ａ、自動下降用スイッチ３２ｂ、上昇用スイッチ２２ａ、及び下降用スイッチ２２ｂそれぞれに対応する操作信号、すなわち照明部１の昇降操作に関わる操作信号が入力されても、リール２１の前記モータの制御を行わないように構成されている。また、前記昇降制御手段は、前記昇降動作ロックモード中に、前記昇降動作ロックモードを解除するための操作信号が入力された際には前記昇降動作ロックモードを解除するように構成されている。
【００４５】
ところで、本体部２の筐体２０には、前記引掛シーリングを経由して供給される前記交流電源を元にリール２１の前記モータや演算処理部等の駆動電源を生成する電源回路部（図示せず）が収納されている。
【００４６】
以上述べた本体部２は、図１（ａ）に示すように、天井面Ｘに設置された前記引掛シーリングを筐体２０の前記収容凹所に収容した状態で、前記収容凹所内に設けた被係止部を前記引掛シーリングに係止するとともに、前記引掛シーリングキャップの前記引掛栓刃を前記引掛シーリングの前記刃受に電気的且つ機械的に接続することで、天井面Ｘに設置される。天井面Ｘに設置された本体部２には、照明部１が次のようにして取り付けられる。照明部１は、本体部２のリール２１の各ワイヤ２１ａの自由端側を、それぞれシャーシ１０の各挿通孔１０ｃを通してシャーシ１０の結束部（図示せず）に結束することによって本体部２に昇降自在に吊り下げられる。また、照明部１は、電源線１４ａの自由端側を本体部２の前記接続部に接続することによって、本体部２及び前記引掛シーリングを経由して前記交流電源に電気的に接続される。
【００４７】
そして、本実施形態の照明器具では、遠隔操作部３の照明操作部３１の各スイッチ３１ａ〜３１ｆを操作することによって、照明部１の蛍光ランプＬの点灯／消灯／調光制御が行えるとともに、常夜灯である前記ＬＥＤの点灯／消灯／調光制御が行える。
【００４８】
さらに、遠隔操作部３の遠隔操作用昇降操作部３２の自動上昇用スイッチ３２ａを操作することにより照明部１を所定の高さ位置まで上昇させることができ、自動下降用スイッチ３２ｂを操作することにより照明部１を所定の高さ位置まで下降させることができる。さらに、自動上昇用スイッチ３２ａ又は自動下降用スイッチ３２ｂにより照明部１が昇降動作を行っている際に、停止用スイッチ３２ｃを操作することによって、任意の高さ位置で照明部１を停止させることができる。
【００４９】
加えて、停止用スイッチ３２ｃを所定の時間以上継続して押し操作することによって、照明部１の昇降動作を行えなくする前記昇降動作ロックモードの設定を行うことができ、前記昇降動作ロックモードの設定の解除は、停止用スイッチ３２ｃを所定の時間以上継続して押し操作することによって行うことができる。
【００５０】
また、遠隔操作部３を紛失したり、バッテリが切れたり残量が少なくなったりして遠隔操作部３による昇降操作が行えなくなった際でも、本体部２の直接操作用昇降操作部２２の上昇用スイッチ２２ａ又は下降用スイッチ２２ｂを操作することによって、照明部１の昇降操作が行えるようになっている。
【００５１】
したがって、以上述べた本実施形態の照明器具によれば、前記昇降制御手段の操作用の昇降操作手段を遠隔操作部３に設けられる遠隔操作用昇降操作部３２と本体部２に設けられる直接操作用昇降操作部２２とで構成しているから、遠隔操作部３を紛失したり、遠隔操作部３のバッテリが切れたり残量が少なくなったりして遠隔操作部３を用いて照明部１の昇降操作が行えない場合でも、本体部２の直接操作用昇降操作部２２を操作することで照明部１の昇降操作が行えるという効果を奏し、しかも直接操作用昇降操作部２２は高さが変動する照明部１ではなく天井面Ｘに設置されて定位置に位置する本体部２に設けられているから、直接操作用昇降操作部２２の操作時に直接操作用昇降操作部２２自体が移動してしまうことがなくなり、直接操作用昇降操作部２２の操作が行い易くなって照明部１の昇降操作が容易に行えるという効果を奏する。
【００５２】
さらに、直接操作用昇降操作部２２を本体部２において照明部１及び天井面Ｘのいずれとも対向しない外側面に設けているから、照明器具の外観を見ることで直接操作用昇降操作部２２を確認できて（カバー２５が本体部２に取り付けられた状態では、カバー２５により直接操作用昇降操作部２２を確認できて）、直接操作用昇降操作部２２の位置が判りやすくなるという効果を奏するとともに、直接操作用昇降操作部２２の操作の際に照明部１及び天井面Ｘが邪魔にならないという効果を奏する。
【００５３】
ところで、直接操作用昇降操作部２２を操作する際には、本体部２が高所にあるためにユーザは脚立等を用いる必要があり、仮に下降用スイッチ２２ｂによっても自動下降用スイッチ３２ｂと同様に照明部１が所定の下降位置まで自動的に下降するようにしてしまうと、ユーザが脚立から降りて即座に直接操作用昇降操作部２２を操作できない状態でも照明部１の下降動作が行われるため、人や物に下降中の照明部１が衝突しそうなときに即座に照明部１の下降動作を中断できず、危険回避が困難になるという問題が生じる。
【００５４】
かかる問題に対して本実施形態の照明器具では、直接操作用昇降操作部２２の昇降操作用のスイッチである上昇用スイッチ２２ａ又は下降用スイッチ２２ｂが操作されている間だけ照明部１が上昇又は下降されるから、直接操作用昇降操作部２２を用いて照明部１の昇降操作を行う際には必ずユーザが照明器具付近（すなわち直接操作用昇降操作部２２を即座に操作できる場所）にいる状態で照明部１の昇降が行われ、照明部１が人や物に衝突してしまう等の危険を回避しやすくなり安全性を高めることができるという効果を奏する。
【００５５】
また、遠隔操作用昇降操作部３２の自動上昇用スイッチ３２ａ又は自動下降用スイッチ３２ｂを操作するだけで、照明部１を自動的に所定の上昇位置又は所定の下降位置まで移動させることができ、しかも移動中に停止用スイッチ３２ｃを操作することで照明部１を任意の位置で停止させることができるから、遠隔操作部３を用いての照明部１の昇降操作が分かり易く簡単になり、使い易くなるという効果を奏する。
【００５６】
さらに、停止用スイッチ３２ｃを所定の時間以上継続して押圧することで昇降動作ロックモードに設定できるから、子供のいたずら等によって照明部１が無駄に昇降操作されることを防止できて、照明部１の突然の昇降動作に起因する危険の回避や、電気代を節約できるという効果を奏する。特に、昇降動作ロックモードを解除するには停止用スイッチ３２ｃを所定の時間以上継続して押圧する必要があるから、日頃から遠隔操作部３の使用頻度が高い大人には昇降動作ロックモードの解除の仕方が分かるものの、遠隔操作部３の使用頻度が低い子供には昇降動作ロックモードの解除の仕方が分かり難く、子供のいたずら等を防止し易いという効果が得られる。しかも停止用スイッチ３２ｃを昇降動作ロックモードに設定するためのスイッチとして兼用しているから、昇降動作ロックモードに設定するためのスイッチ等を新たに設けなくて済み、遠隔操作部３のコンパクト化やコストダウンを図ることができるという効果を奏する。
【００５７】
加えて、遠隔操作部３の発光表示部３４を見ることによって昇降動作ロックモードに設定されているか否かを容易に判別できるから、照明部１の昇降操作を行えない理由が、故障によるものなのか昇降動作ロックモードによるものなのかを容易に確認できるという効果を奏する。また、発光表示部３４は、前記昇降動作ロックモードが設定されていない状態で停止用スイッチ３２ｃの押圧状態が所定の時間継続された際に点灯し、前記昇降動作ロックモードが設定されている状態で停止用スイッチ３２ｃの押圧状態が所定の時間継続された際に消灯するから、発光表示部３４を見ることによって昇降動作ロックモードの設定又は解除が行われたことを容易に確認できるという効果を奏する。
【００５８】
ところで、本実施形態の照明器具では、前記昇降動作ロックモードに設定されている際に、図２（ａ），（ｂ）に示すように、発光表示部３４を３秒周期で点滅させるようにしているが、点滅周期は３秒に限られるものではなく、ユーザが自由に設定できるようにしてもよい。また、発光表示部３４は、前記昇降動作ロックモードに設定されている状態では点灯し、前記昇降動作ロックモードが解除されている状態では消灯するようにしてもよい。
【００５９】
尚、本実施形態の照明器具では、本体部２に、照明部１を本体部２に昇降自在に吊り下げる昇降手段であるリール２１と、リール２１を制御して照明部１を昇降させる昇降制御手段と、遠隔操作部が送信する無線信号を受信する受信部２３とを設けているが、これらは必ずしも本体部２に設ける必要はなく、照明部１に設けるようにしてもよい。つまり、本体部には、少なくとも直接操作用昇降操作部２２が設けられていればよい。
【００６０】
また、照明部１と本体部２と遠隔操作部３との形状及び構成はあくまで一例であり、本発明の照明器具を、本実施形態の照明部１と本体部２と遠隔操作部３との形状及び構成に限定するものではない。
【図面の簡単な説明】
【００６１】
【図１】（ａ）は本発明の一実施形態の照明器具の照明部及び本体部の概略説明図、（ｂ）は遠隔操作部の概略説明図、（ｃ）は本体部の要部の概略説明図である。
【図２】同上の照明器具の動作説明図である。
【符号の説明】
【００６２】
１    照明部
２    本体部
３    遠隔操作部
１１    点灯装置
２１    リール（昇降手段）
２２    直接操作用昇降操作部
２２ａ  上昇用スイッチ（昇降操作用のスイッチ）
２２ｂ  下降用スイッチ（昇降操作用のスイッチ）
２３    受信部（受信手段）
３２    遠隔操作用昇降操作部
３２ａ  自動上昇用スイッチ
３２ｂ  自動下降用スイッチ
３２ｃ  停止用スイッチ
３４    発光表示部（発光表示手段）
Ｘ    天井面
【図１】
2008091151.tif 000003
【図２】
2008091151.tif 000004